(57)【特許請求の範囲】
【請求項１】
カード挿入口にカード以外の異物の挿入を阻止するシャッタを設け、カードが挿入された場合には前記シャッタをカード通路の阻止位置から移動させて挿入された前記カードをカードリーダ内部に取り込むカードリーダにおいて、前記カード挿入口に、前記カード通路の幅方向に形成されている異物検出部材と、前記異物検出部材が嵌合可能な嵌合部材と、検知手段とを備え、前記異物検出部材は前記シャッタが前記カード通路より退避したときに前記嵌合部材に嵌合する位置から退避して前記カード通路を遮らない位置まで移動し、前記シャッタが前記カード通路の阻止位置にあるときに前記嵌合部材に嵌合する位置まで移動し、前記検知手段は前記シャッタが前記カード通路の阻止位置にあるときに前記異物検出部材が前記嵌合部材の所定の位置に嵌合しているか否かを検知するものであることを特徴とするカードリーダ。
【請求項２】
前記異物検出部材は、前記カード通路の全幅に亘って形成され前記カード通路を横切るように移動する棒状部材であることを特徴とする請求項１記載のカードリーダ。
【請求項３】
前記嵌合部材は前記棒状部材とほぼ等しい幅の嵌合幅を有するものであることを特徴とする請求項２記載のカードリーダ。
【請求項４】
カード挿入口にカード以外の異物の挿入を阻止するシャッタを設け、カードが挿入された場合には前記シャッタをカード通路の阻止位置から移動させて挿入された前記カードをカードリーダ内部に取り込むカードリーダにおいて、前記カード挿入口に、前記カード通路の幅方向に形成されている異物検出部材と、前記異物検出部材が嵌合可能な嵌合部材と、検知手段とを備え、前記異物検出部材は前記シャッタが前記カード通路より退避したときに前記嵌合部材に嵌合する位置から退避して前記カード通路を遮らない位置まで移動し、前記シャッタが前記カード通路の阻止位置にあるときに前記嵌合部材に嵌合する位置まで移動し、前記嵌合部材は離間可能な２つの部材から構成され、所定位置側に付勢されて前記所定位置で前記異物検出部材が嵌合し、前記異物検出部材が前記異物を挟むようにして嵌合しようとするときに前記２つの部材が前記所定位置から移動して離間し、前記検知手段は前記２つの部材の離間を検知して前記嵌合部材が前記所定位置にあるか否かを検知するセンサであることを特徴とするカードリーダ。
【請求項５】
カード挿入口にカード以外の異物の挿入を阻止するシャッタを設け、カードが挿入された場合には前記シャッタをカード通路の阻止位置から移動させて挿入された前記カードをカードリーダ内部に取り込むカードリーダにおいて、前記カード挿入口に、前記カード通路の幅方向に形成されている異物検出部材と、検知手段とを備え、前記異物検出部材は前記シャッタが前記カード通路より退避したときに前記カード通路より退避し、前記検知手段は前記カード通路を跨って形成された２つの接点部を有し、前記異物検出部材は前記シャッタがカード通路の阻止位置にあるときに前記２つの接点部と当接して電気的接続通路を形成する電気的連結部を有するものであることを特徴とするカードリーダ。
【請求項６】
前記異物検出部材は前記シャッタが兼用しているものであることを特徴とする請求項１、４または５記載のカードリーダ。
【発明の詳細な説明】
【０００１】
【発明の属する技術分野】
本発明は、カードリーダに関する。更に詳述すると、本発明は、カードリーダにおけるカードの詐取行為を防止するための構造の改良に関する。
【０００２】
【従来の技術】
磁気カードリーダやＩＣカードリーダ等では、カード挿入口に例えばソレノイドで開閉されるシャッタ等を設けるようにしてカード以外の異物が挿入されるのを阻止し、カードリーダ装置のセキュリティを図っている。カードリーダにカードが挿入されるとこのシャッタはカード通路から退避して挿入されたカードがカードリーダ内部に取り込まれるようにしている。また、カードやカード以外の異物がシャッタより中へ入ってしまうと、シャッタが閉じて、所定の処理が済むまでカードが不正に取り出されるのを防いでいる。
【０００３】
【発明が解決しようとする課題】
しかしながら、近年ではこれらカードを詐取する手口もますます巧妙になってきており、上述のように保全が図られているカードリーダからもカードを詐取しようとする犯罪が報告されている。このような犯罪を行う者は、例えば糸を結びつけたカードをカードリーダ装置（ＡＴＭ、ＣＤ等の現金処理端末）にあらかじめ侵入させ、糸を挟みながらもシャッタは閉まっているとカードリーダ装置に認識させるようにし、他人がこの装置を使用したときにカードジャムが発生してその場を離れてしまった隙にシャッタを糸で上げてカードリーダからそのカードを抜き取っている。このような行為に対しては、従来のシャッタではシート状のものが差し込まれるのを防止することができても、糸状の細くて柔らかく、しなやかなものの侵入を検知することは難しかった。
【０００４】
そこで、本発明は、糸等の細くて柔らかい異物が付けられたカードが侵入しても当該糸等を検出し、カード詐取を防止してセキュリティを確保することができるカードリーダを提供することを目的とする。
【０００５】
【課題を解決するための手段】
かかる目的を達成するため、請求項１記載の発明は、カード挿入口にカード以外の異物の挿入を阻止するシャッタを設け、カードが挿入された場合にはシャッタをカード通路の阻止位置から移動させて挿入されたカードをカードリーダ内部に取り込むカードリーダにおいて、カード挿入口に、カード通路の幅方向に形成されている異物検出部材と、異物検出部材が嵌合可能な嵌合部材と、検知手段とを備え、異物検出部材はシャッタがカード通路より退避したときに嵌合部材に嵌合する位置から退避してカード通路を遮らない位置まで移動し、シャッタがカード通路の阻止位置にあるときに嵌合部材に嵌合する位置まで移動し、検知手段はシャッタがカード通路の阻止位置にあるときに異物検出部材が嵌合部材の所定の位置に嵌合しているか否かを検知するものである。
【０００６】
したがって、カードがカードリーダ内部に取り込まれると、カード通路を遮断して阻止位置に戻るシャッタと共に異物検出部材もカード通路を横切る所定の位置まで戻って嵌合部材と嵌合する。このときカードにカード挿入口まで続いている糸等の異物が付けられていると、異物検出部材と嵌合部材とがその間に当該異物を挟み込んでしまうため完全には嵌合することができず、異物検出部材が所定の位置まで戻ることができない。このことを検知手段で検知することによって、異物の侵入を検出できる。
【０００７】
請求項２記載のカードリーダにおいては、異物検出部材は、カード通路の全幅に亘って形成されカード通路を横切るように移動する棒状部材である。したがって、棒状部材は所定位置にあるときは嵌合部材と嵌合し、検知手段によって所定位置にあることが検出される。一方、カード通路上に糸等の異物があるときは棒状部材と嵌合部材とがその間に当該異物を挟み込んでしまうため完全には嵌合することができず、所定位置まで移動できないため検知手段によって検出されない。
【０００８】
請求項３記載のカードリーダにおいては、嵌合部材は棒状部材とほぼ等しい幅の嵌合幅を有するものである。したがって棒状部材はほぼ隙間なくこの嵌合部材に嵌合することができ、一方、その間に糸等の細い異物が介在すると嵌合できなくなり、センサによって検出される所定位置あるいはセンサによって検出されない所定位置まで移動できない。
【００１０】
請求項４記載のカードリーダにおいては、カード挿入口にカード以外の異物の挿入を阻止するシャッタを設け、カードが挿入された場合にはシャッタをカード通路の阻止位置から移動させて挿入されたカードをカードリーダ内部に取り込むカードリーダにおいて、カード挿入口に、カード通路の幅方向に形成されている異物検出部材と、異物検出部材が嵌合可能な嵌合部材と、検知手段とを備え、異物検出部材はシャッタがカード通路より退避したときに嵌合部材に嵌合する位置から退避してカード通路を遮らない位置まで移動し、シャッタがカード通路の阻止位置にあるときに嵌合部材に嵌合する位置まで移動し、嵌合部材は離間可能な２つの部材から構成され、所定位置側に付勢されて所定位置で異物検出部材が嵌合し、異物検出部材が異物を挟むようにして嵌合しようとするときに２つの部材が所定位置から移動して離間し、検出手段は２つの部材の離間を検知して嵌合部材が所定位置にあるか否かを検知するセンサである。したがって、所定位置で嵌合溝を形成する離間可能な２つの部材から構成される嵌合部材に異物検出部材が嵌合しても嵌合部材はそのままの位置を保持するが、糸等の異物を間に挟むようにして嵌合しようとすると嵌合部材は所定位置に留まることができず、２つの部材は押し広げられるようにして離間し、そのことがセンサで検知されることによって異物の介在が検出される。
【００１２】
請求項５記載のカードリーダにおいては、カード挿入口にカード以外の異物の挿入を阻止するシャッタを設け、カードが挿入された場合にはシャッタをカード通路の阻止位置から移動させて挿入されたカードをカードリーダ内部に取り込むカードリーダにおいて、カード挿入口に、カード通路の幅方向に形成されている異物検出部材と、検知手段とを備え、異物検出部材はシャッタがカード通路より退避したときにカード通路より退避し、検知手段はカード通路を跨って形成された２つの接点部を有し、異物検出部材はシャッタがカード通路の阻止位置にあるときに２つの接点部と当接して電気的接続通路を形成する電気的連結部とを有するものである。したがって、シャッタが阻止位置に位置するとき異物検出部材はその電気的連結部を２つの接点部に当接させて電気的接続通路を形成するが、糸等の異物を間に挟み込むと当該異物の分だけ届かなくなり、２つの接点部と当接しなくなるため電気的接続通路を形成しなくなる。
【００１３】
請求項６記載のカードリーダにおいては、異物検出部材は、シャッタが兼用しているものである。したがって、シャッタはカード以外の異物が挿入されるのを阻止するとともに、糸等の異物が侵入してしまった場合にはこれを検出する。
【００１４】
【発明の実施の形態】
以下、本発明の構成を図面に示す実施の形態の一例に基づいて詳細に説明する。
【００１５】
図１と図２に、本発明のカードリーダの一実施形態を示す。このカードリーダ１は、カード挿入口２にカード以外の異物の挿入を阻止するシャッタ３を設け、カード１０が挿入された場合にはシャッタ３をカード通路４の阻止位置３ａから移動させて挿入されたカード１０をカードリーダ１内部に取り込むように構成されている。そして、このカードリーダ１のカード挿入口２に、カード通路幅ｗ方向に形成されている異物検出部材５と、異物検出部材５が嵌合可能な嵌合部材６と、検知手段８とを備え、異物検出部材５はシャッタ３がカード通路４より退避したときに嵌合部材６に嵌合する位置から退避してカード通路４を遮らない位置５ｂまで移動し、シャッタ３がカード通路４の阻止位置３ａにあるときに嵌合部材６に嵌合する位置まで移動し、検知手段８はシャッタ３がカード通路４の阻止位置３ａにあるときに異物検出部材５が嵌合部材６の所定の位置に嵌合しているか否かを検知するものである。なお以下に示す本実施形態では、カード１０に付けられた糸１１の侵入を検出する場合について説明する。
【００１６】
シャッタ３はカードリーダ１のカード挿入口２を開閉する部材であり、本実施形態では上下動するように設けられているが特に移動方向あるいは材質等は限定されない。シャッタ３はカードリーダ１がカード１０を内部に取り込むときは図２に示す退避位置３ｂにおいて開いた状態とされ、カード１０を取り込んだら阻止位置３ａにおいて閉じた状態とされる。
【００１７】
異物検出部材５の形状や大きさは特に限定されないが、本実施形態ではカード通路４の全幅に亘って形成されカード通路４をカード１０の厚み方向に横切るように移動する棒状部材である。この場合における棒状部材は例えば鋼製の中実部材であり、図示するようにその軸がカード１０の進行方向と垂直を向くように水平に設けられている。また異物検出部材５はフレーム等の固定部材に取り付けられた平行リンク１２により上下動可能に支持されており、さらにソレノイド１３によって平行リンク１２とともに上下方向に移動される。このソレノイド１３が通電されているときは異物検出部材５は上方に移動し、カード通路４を遮らない位置５ｂまで上昇する。そしてソレノイド１３への通電を止めると異物検出部材５はばね１４のばね力により下降し、カード通路４に異物例えば糸１１等がなければ後述する嵌合部材６と嵌合する。なお、本実施形態における異物検出部材５は図１に示すように平行リンク１２で支持されているが単なる支点を中心に揺動可能に支持するようにしてもよく、またその動作方向も下降して糸１１を検出するばかりでなく逆方向すなわち上昇するように設けてもよい。
【００１８】
嵌合部材６はカード通路４に溝状に設けられており、上述した異物検出部材５ここでは棒状部材が嵌合可能なように棒状部材とほぼ等しい幅の嵌合幅を有している。この嵌合部材６の嵌合溝７の形状は特に限られることはないが、本実施形態では図２に示すように異物検出部材５の下方に矩形に形成されている。また異物検出部材５やこの嵌合部材６の大きさについては、嵌合部材６は異物検出部材５が嵌合可能となるようにこの異物検出部材５の径よりもわずかに広く形成され、かつそのときの隙間は細い糸等の異物１１がその間に存在しているときは嵌合することができなくなるような程度とされている。例えば本実施形態では異物検出部材５、嵌合部材６とも基準寸法を５ｍｍとし、公差を異物検出部材５では０から−０．０１ｍｍまで、嵌合部材６では＋０．００５ｍｍから＋０．０２ｍｍまでとしている。これにより異物検出部材５は嵌合部材６に嵌合して図２に示す所定位置に収まり、このときの最大隙間は０．０３ｍｍとなる。細い普通の糸の直径が０．１ｍｍ程度であることを考慮すると、異物検出部材５と嵌合部材６との間に細い糸１１が存在しているときはこの２つの部材は完全には嵌合することができなくなる。なお、上述のような形態を実現するためには異物検出部材５と嵌合部材６との成形に際してある程度の成形精度が要求されるが、この程度の公差であるならばカードリーダ１に備えさせる機器としては難しいものではない。また、今後さらに細くて丈夫な糸１１が使用されることも想定されるが、成形の精度をさらに上げることにより対処することが可能である。
【００１９】
検知手段８は、異物検出部材５（ここでは棒状部材）が嵌合する嵌合部材６と異物検出部材５が所定位置に嵌合しているか否かを検出するするものであり、さらに詳述するとこの検知手段８としてセンサが用いられている。本実施形態ではフォトインタラプタが図２に示すように嵌合部材６を両側から挟み込むような位置に配置されて使用されている。したがって、異物検出部材５が嵌合部材６に嵌合しているときはフォトインタラプタの光路が遮られ、嵌合状態にあることが検知される。なおセンサは特に限定されるものではなく、フォトインタラプタ以外には例えば磁気抵抗素子やマイクロスイッチ、磁気ヘッド（プリヘッド）を用いるようにしてもよい。
【００２０】
以上のように構成されたカードリーダ１によると、例えば何者かが糸１１を付けたカード１０を用いてカードリーダ１から他人のカードを詐取しようとしても以下のようにしてこれを防止することができる。
【００２１】
まず、カード１０がカード挿入口２から挿入されたことを検知したら例えばシャッタ３を開けるのと同時にソレノイド１３へ通電し異物検出部材５を上昇させる。カード１０はカード通路４を搬送され、このカード通路４を遮らない位置５ｂに位置する異物検出部材５の下方を通過してデータの記録や再生が行われる位置（以下「記録再生位置」という）まで搬送される。カード１０に付けられた糸１１はカード１０に追随するようにしてカード挿入口２から記録再生位置まで送られるため、それらの間に位置する嵌合部材６の嵌合溝７の上方を通過している。
【００２２】
次にカードリーダ１の内部でデータの記録や再生が行われる前にシャッタ３を閉じ、さらにソレノイド１３への通電を止めて異物検出部材５を下降させるが、糸１１が介在する場合には異物検出部材５は嵌合部材６と嵌合することができず、図３（Ｂ）に示すように所定の位置すなわちカード通路４を横切る位置５ａまで下降できない状態となる。この状態での異物検出部材５はフォトインタラプタの光路を遮ることがないので、異物検出部材５が所定の位置にないこと、すなわち異物検出部材５と嵌合部材６との間に糸１１が挟まれていることが検出される。このように糸１１が付けられたカード１０を検出した後はカード１０の処理を中止して即返却したり、カード１０を装置内に取り込むようにして対処すればよい。
【００２３】
なお、異物検出部材５はシャッタ３が兼用しているものとすることもできる。この場合、特に図示していないが異物検出部材５は所定位置（この場合は阻止位置３ａと一致する）に位置してカード１０以外の異物が挿入されるのを阻止するとともに、上述したのと同様にカード１０に付けられた糸１１を検出することができるように設けられている。
【００２４】
上述したように本発明のカードリーダ１によれば、糸１１のように細くしなやかな異物を付けたカード１０を用いて他人のカードを詐取しようとしても、この糸１１をカードリーダ１内で検出することができる。このように検出したら、例えばカード１０をカード挿入口２に戻すかあるいは装置内に取り込んでカード１０の取引を停止したり、またはアラームを鳴らしたりし、カード１０の詐取や横領というような犯罪を防止してセキュリティを確保することができる。
【００２５】
なお、上述の実施形態は本発明の好適な実施の一例ではあるがこれに限定されるものではなく本発明の要旨を逸脱しない範囲において種々変形実施可能である。すなわち、以下のように構成されたカードリーダ１においてもカード１０に付けられた糸１１を検出することができる。例えば図４に示すカードリーダ１の検知手段８は、所定位置側に付勢され該所定位置で異物検出部材５が嵌合する嵌合溝７を形成し、離間可能な２つの部材６ａ，６ｂから構成される嵌合部材６と、該嵌合部材６を構成する２つの部材の離間を検知するセンサとを備えている。２つの部材６ａ，６ｂの一方あるいは両方は他方側に近づくように付勢されており、互いに当接し合う所定位置にあるときは図４（Ａ）に示すように異物検出部材５とほぼ等しい幅の嵌合溝７を形成する。したがってこの嵌合部材６に異物検出部材５が嵌合しても嵌合部材６はそのままであり、嵌合溝７の幅も維持される。一方、この嵌合部材６との間に糸１１を挟むようにして異物検出部材５が嵌合しようとすると、嵌合部材６は所定位置に留まることができず、図４（Ｂ）に示すように押し開かれるようにして移動し、離間する。このとき２つの部材６ａ，６ｂの離間は図示しないセンサにより検知されるため、異物検出部材５と嵌合部材６との間に糸１１等の異物が介在していることがわかる。なお、この離間する動作を図示しないレバーや歯車、あるいは滑車等を利用し機構的に拡大してフォトインタラプタやマイクロスイッチを動作するようにしてもよいし、または差動トランス等で電気的に検知してもよい。
【００２６】
さらに、以下のように構成されたカードリーダ１によってカード１０に付けられた糸１１を検出するようにしてもよい。すなわち、このカードリーダ１の検知手段８はカード通路４を跨って形成された２つの接点部１５，１６を有し、異物検出部材５は、シャッタ３がカード通路４の阻止位置３ａにあるときに２つの接点部１５，１６と当接して電気的接続通路を形成するための電気的連結部１７，１８を有している。ここでこの実施形態における異物検出部材５は、シャッタ３でもよくまたはシャッタ３とは別部材でもよい。異物検出部材５がシャッタ３と別部材であるときには当該異物検出部材５が糸１１を検出し、一方、シャッタ３が異物検出部材５を兼ねているときにはシャッタ３はカード１０以外の異物が挿入されるのを阻止するとともに、糸１１が侵入している場合にはこれを検知する。なお、以下ではシャッタ３が異物検出部材５を兼ねている場合を図を用いて説明する。
【００２７】
図５と図６に示すように、シャッタ３と接する２つの接点部１５，１６を設け、シャッタ３が所定の位置である阻止位置３ａにあることを電気的導通を調べることにより検出するようにしている。この場合シャッタ３が接点部１５，１６と接触する部分を金属からなる電気的連結部１７，１８とし、電気的に導通されるように構成する。また各接点部１５，１６はそれぞれ独立した接点であり、シャッタ３がここに当接して停止するように基準台面１９より数μｍ程度高く構成されている。シャッタ３は阻止位置３ａにおいて各接点部１５，１６と接触するため、このシャッタ３を経て接点部１５と接点部１６との導通が得られ電気的接続通路が形成される。一方、シャッタ３を閉止したときカード通路４上に糸１１が存在していると、シャッタ３は完全に閉止することができず接点部１５と接点部１６とはシャッタ３を介して導通することができなくなる。
【００２８】
このようなシャッタ３のほぼ中央部にはシャッタ上下レバー２０が揺動可能に連接されている。このシャッタ上下レバー２０は支点２１で支持されており、ばね２２のばね力により図５のように下降する。そしてソレノイド１３への通電により鉄芯１３ａがソレノイド１３に吸引され、これに連接するレバー１３ｂを介してシャッタ上下レバー２０を上昇させシャッタ３を上方へ移動させる。シャッタ３は左右のシャッタ上部ストッパ２３，２４に当接して停止しカード通路４が開かれる。ここで、ばね２２の代替としては、基準台面１９に取り付けられた図示しない永久磁石や電磁式磁石によってシャッタ３そのものを吸引するようにしたり、またはシャッタ３に取り付けられた吸引用の鉄系部材を吸引するようにしてもよい。このようにすることで接点部１５，１６の接触力を上昇させることができ、接触信頼性を向上させることができる。なお接点部１５，１６はカード通路４より外側に配置するようにし、糸１１がワイヤ等の導通部材によって導通して糸１１の検出が不能となることのないようにする。上述のように、接点部１５と接点部１６との導通の有無を確認することによってカード１０に取り付けられた糸１１を検出することができる。
【００２９】
さらに、本実施形態では糸１１の検知に棒状部材である異物検出部材５を使用したり、あるいはシャッタ３を異物検出部材５として兼用して用いたりしたが、さらに従来から使用されているゲート機構を利用することもできる。例えば図７や図８に示すようにシャッタ３と糸検知溝ブロック２５とを設け、さらにこの糸検知溝ブロック２５には溝２６をシャッタ３の厚みよりわずかに幅広くなるように形成している。ここでのシャッタ３の板厚の公差は２±０．０２ｍｍとし、さらに溝２６の幅を２＋０．０３ｍｍから＋０．０５ｍｍとして精度よく糸１１が検出されるようにしている。また、糸検知溝ブロック２５は付勢手段（図示省略）により上方へ付勢されており、さらにこの糸検知溝ブロック２５の下方には例えば糸検知溝ブロック２５の移動を検知するフォトインタラプタ（図示省略）等のセンサが設けられている。
【００３０】
このような装置を備えたカードリーダ１では、糸１１のないときに閉じられたシャッタ３は糸検知溝ブロック２５の溝２６に入り込み停止するため、糸検知溝ブロック２５は上昇付勢された位置から動くことはない。一方、糸１１が糸検知溝ブロック２５上を横断しているようなときにシャッタ３を閉じると、シャッタ３は下降して糸検知溝ブロック２５の溝２６に入ろうとするがこの糸１１のために完全には入り込めない。したがって糸検知溝ブロック２５は図８に示すようにシャッタ３により押し下げられフォトインタラプタの光路を遮るため、糸検知溝ブロック２５が下降したことが検知される。そこでこの検知信号をカードリーダ１の制御系へ入力して、カード処理を中断したり、異常を警報手段等で知らせる等の対処を行うことができる。
【００３１】
なお、本実施形態ではカード１０に付けられた糸１１を検知することができるカードリーダ１について説明したが、本発明によればこの糸１１に限らず他の異物例えば従来のフィルムのような薄いもの等をも検知することができることは勿論である。
【００３２】
【発明の効果】
以上の説明より明らかなように、請求項１記載の発明のカードリーダでは、カード挿入口に、カード通路の幅方向に形成されている異物検出部材と、異物検出部材が嵌合可能な嵌合部材と、検知手段とを備え、異物検出部材はシャッタがカード通路より退避したときに嵌合部材に嵌合する位置から退避してカード通路を遮らない位置まで移動し、シャッタがカード通路の阻止位置にあるときに嵌合部材に嵌合する位置まで移動し、検知手段はシャッタがカード通路の阻止位置にあるときに異物検出部材が嵌合部材の所定の位置に嵌合しているか否かを検知するものであるから、糸等の異物がカードリーダ内に侵入しているとき異物検出部材と嵌合部材とがその間に当該異物を挟み込んでしまうため完全には嵌合することができず、異物検出部材が所定の位置まで戻ることができない。このことを検知手段で検知することによって、異物の侵入を検出できる。これにより、糸等の異物が付けられたカードが侵入しても当該糸等を検出し、カード詐取を防止してセキュリティを確保することができる。
【００３３】
また、請求項２記載の発明のカードリーダでは、異物検出部材は、カード通路の全幅に亘って形成されカード通路を横切るように移動する棒状部材であるので、糸等がカード通路上のどの位置を通過していてもこの糸等を引っかけるようにして検知することができる。
【００３４】
さらに、請求項３記載の発明のカードリーダでは、嵌合部材は棒状部材とほぼ等しい幅の嵌合幅を有するものであるため、棒状部材はほぼ隙間なくこの嵌合部材に嵌合することができる一方、その間に糸等の異物が介在すると嵌合できなくなる。したがって棒状部材が嵌合部材に嵌合しているかどうかを検知し異物が侵入しているかどうかを検出することができる。
【００３６】
また、請求項４記載の発明のカードリーダでは、カード挿入口に、カード通路の幅方向に形成されている異物検出部材と、異物検出部材が嵌合可能な嵌合部材と、検知手段とを備え、異物検出部材はシャッタがカード通路より退避したときに嵌合部材に嵌合する位置から退避してカード通路を遮らない位置まで移動し、シャッタがカード通路の阻止位置にあるときに嵌合部材に嵌合する位置まで移動し、嵌合部材は離間可能な２つの部材から構成され、所定位置側に付勢されて所定位置で異物検出部材が嵌合し、異物検出部材が異物を挟むようにして嵌合しようとするときに２つの部材が所定位置から移動して離間し、検出手段は２つの部材の離間を検知して嵌合部材が所定位置にあるか否かを検知するセンサであるから、所定位置で嵌合溝を形成する離間可能な２つの部材から構成される嵌合部材に異物検出部材が嵌合しても嵌合部材はそのままの位置を保持するが、糸等の異物を間に挟むようにして嵌合しようとすると嵌合部材は所定位置に留まることができず、２つの部材は押し広げられるようにして離間し、センサによって検知される。これにより、異物が侵入しているかどうかを検出することができる。
【００３８】
また、請求項５記載の発明のカードリーダでは、カード挿入口に、カード通路の幅方向に形成されている異物検出部材と、検知手段とを備え、異物検出部材はシャッタがカード通路より退避したときにカード通路より退避し、検知手段はカード通路を跨って形成された２つの接点部を有し、異物検出部材はシャッタがカード通路の阻止位置にあるときに２つの接点部と当接して電気的接続通路を形成する電気的連結部とを有するものであるため、糸等の異物を間に挟み込むと異物検出部材が２つの接点部と当接しなくなり電気的接続通路を形成しなくなる。これにより、異物が侵入しているかどうかを検出することができる。
【００３９】
さらに、請求項６記載の発明のカードリーダでは、異物検出部材は、シャッタが兼用しているので、カード以外の異物が挿入されるのを阻止するとともに糸等の異物をも検知することができ、少ない部材により異物が侵入しているかどうか検出することができる。
【図面の簡単な説明】
【図１】本発明のカードリーダの一実施形態を示すカード走行方向から見た図である。
【図２】カードリーダの内部を示す縦断面図である。
【図３】異物検出部材が嵌合部材に嵌合する様子を示す概略図であり、（Ａ）は糸が介在しない場合、（Ｂ）は糸が介在している場合を示す。
【図４】本発明の別の実施形態を示す概略図であり、（Ａ）は糸が介在しない場合、（Ｂ）は糸が介在している場合を示す。
【図５】本発明のさらに別の実施形態を示す概略図であり、シャッタが阻止位置にある様子を示す。
【図６】図５の別の態様を示す概略図であり、シャッタが退避位置にある様子を示す。
【図７】本発明のさらなる別の実施形態を示す概略縦断面図であり、糸が介在しない様子を示す。
【図８】図７の別の態様を示す概略縦断面図であり、糸が介在している様子を示す。
【符号の説明】
１  カードリーダ
２  カード挿入口
３  シャッタ
３ａ  阻止位置
４  カード通路
５  異物検出部材
５ａ  カード通路を横切る位置
６  嵌合部材
６ａ，６ｂ  離間可能な２つの部材
７  嵌合溝
８  検知手段
１０  カード
１１  糸（異物）
１５  接点部
１６  接点部
１７  電気的連結部
１８  電気的連結部
ｗ  カード通路の幅方向
【図１】
0003876053.tif 000002
【図２】
0003876053.tif 000003
【図３】
0003876053.tif 000004
【図４】
0003876053.tif 000005
【図５】
0003876053.tif 000006
【図６】
0003876053.tif 000007
【図７】
0003876053.tif 000008
【図８】
0003876053.tif 000009